【手続補正書】
【提出日】平成17年4月7日(2005.4.7)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】
互いに加圧された定着体及び加圧体を有する定着手段と、定着体と加圧体の間に掛かる圧力を手動で解除するための加圧解除機構と、記録材の接触により移動する可動部材を有し記録材のジャムを検知するジャム検知手段と、を有し、可動部材が記録材接触状態の位置を維持し記録材のジャムと判断されると画像形成を禁止する画像形成装置において、
前記可動部材は前記加圧解除機構の操作部に連動して移動可能になっており、前記加圧解除機構の操作部を加圧解除位置に動かすと前記可動部材が記録材接触状態の位置に移動し、前記加圧解除機構の操作部を加圧位置に動かすと前記可動部材が記録材非接触状態の位置に移動することを特徴とする画像形成装置。
【請求項２】
互いに加圧された定着体及び加圧体を有する定着手段と、定着体と加圧体の間に掛かる圧力を手動で解除するための加圧解除機構と、記録材の接触により移動する可動部材を有し記録材のジャムを検知するジャム検知手段と、を有し、可動部材が記録材接触状態の位置を維持し記録材のジャムと判断されると画像形成を禁止する画像形成装置において、
前記加圧解除機構の操作部に連動して移動可能な第２の可動部材を有し、前記加圧解除機構の操作部を加圧解除位置に動かすと前記第２の可動部材が前記ジャム検知手段のセンサに作用する位置に移動し、前記加圧解除機構の操作部を加圧位置に動かすと前記第２の可動部材が前記ジャム検知手段のセンサに作用する位置から退避することを特徴とする画像形成装置。
【手続補正３】
【補正対象書類名】明細書
【補正対象項目名】０００１
【補正方法】変更
【補正の内容】
【０００１】
【発明の属する技術分野】
本発明は、記録材上のトナーを加熱および加圧して定着させる定着手段を有する画像形成装置に関する。
【手続補正４】
【補正対象書類名】明細書
【補正対象項目名】０００７
【補正方法】変更
【補正の内容】
【０００７】
図６に、上記のプリンタに設けられた定着装置の概略構成図を示す。定着装置１４は、ハロゲンヒータ１５ｄにより加熱される定着ローラ１５と加圧ローラ１６とを有する。
【手続補正５】
【補正対象書類名】明細書
【補正対象項目名】００１２
【補正方法】変更
【補正の内容】
【００１２】
可動部材２１ａ，２１ｂ，２１ｃは、定着ローラ１５の長手方向に沿って平行に配置された円筒状の回転軸２１ｂと、回転軸２１ｂのローラ中央部側に設けられた記録材を検知するための突起部２１ａと、回転軸２１ｂのローラ端部側に設けられた遮光板２１ｃとを有する。ニップ部１７から排出された記録材により突起部２１ａが回転軸２１ｂを中心にして回転することにより、遮光板２１ｃがフォトインタラプタ２１ｄ方向へ揺動するようになっている。
【手続補正６】
【補正対象書類名】明細書
【補正対象項目名】００２４
【補正方法】変更
【補正の内容】
【００２４】
そこで、本発明は、加圧解除機構を有する定着手段を有する画像形成装置において、加圧ローラの加圧解除状態を検知でき、加圧ローラが加圧解除状態の時はプリント動作を禁止する画像形成装置を提供することを目的とする。
【手続補正７】
【補正対象書類名】明細書
【補正対象項目名】００２５
【補正方法】変更
【補正の内容】
【００２５】
【課題を解決するための手段】
上記課題を解決する本発明は、互いに加圧された定着体及び加圧体を有する定着手段と、定着体と加圧体の間に掛かる圧力を手動で解除するための加圧解除機構と、記録材の接触により移動する可動部材を有し記録材のジャムを検知するジャム検知手段と、を有し、可動部材が記録材接触状態の位置を維持し記録材のジャムと判断されると画像形成を禁止する画像形成装置において、前記可動部材は前記加圧解除機構の操作部に連動して移動可能になっており、前記加圧解除機構の操作部を加圧解除位置に動かすと前記可動部材が記録材接触状態の位置に移動し、前記加圧解除機構の操作部を加圧位置に動かすと前記可動部材が記録材非接触状態の位置に移動することを特徴とする。
【手続補正８】
【補正対象書類名】明細書
【補正対象項目名】００２６
【補正方法】変更
【補正の内容】
【００２６】
また、上記課題を解決する本発明は、互いに加圧された定着体及び加圧体を有する定着手段と、定着体と加圧体の間に掛かる圧力を手動で解除するための加圧解除機構と、記録材の接触により移動する可動部材を有し記録材のジャムを検知するジャム検知手段と、を有し、可動部材が記録材接触状態の位置を維持し記録材のジャムと判断されると画像形成を禁止する画像形成装置において、前記加圧解除機構の操作部に連動して移動可能な第２の可動部材を有し、前記加圧解除機構の操作部を加圧解除位置に動かすと前記第２の可動部材が前記ジャム検知手段のセンサに作用する位置に移動し、前記加圧解除機構の操作部を加圧位置に動かすと前記第２の可動部材が前記ジャム検知手段のセンサに作用する位置から退避することを特徴とする。
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３４
【補正方法】変更
【補正の内容】
【００３４】
（第１の実施形態）
まず、本発明の第１の実施形態を図１と図２により説明する。図１に、本発明の第１の実施形態の画像形成装置に搭載する定着装置を排紙側から見た正面説明図を示す。
【手続補正１６】
【補正対象書類名】明細書
【補正対象項目名】００３６
【補正方法】変更
【補正の内容】
【００３６】
図１に示すように、本実施形態の定着装置１４’は、加熱手段としてのハロゲンヒータと、駆動手段（図示せず）により回転させられる定着体としての定着ローラ１５と、定着ローラ１５に圧接された加圧体としての加圧ローラ１６と、加圧バネ２２と、定着装置内のジャムを検知するジャム検知手段としての排紙センサユニット２１と、加圧ローラ１６の加圧状態を解除する加圧解除機構２４とを有している。本定着装置の定着温度は１８０℃とし、ローラ周速は１１０〜１２０ｍｍ／ｓｅｃの範囲とした。
【手続補正１７】
【補正対象書類名】明細書
【補正対象項目名】００４１
【補正方法】変更
【補正の内容】
【００４１】
本実施形態の加圧ローラとしては、定着ローラ同様、アルミニウム芯軸上にジメチルシリコーンゴムのＬＴＶタイプの弾性層を１．５ｍｍ設け、その上に離型層としてＰＦＡチューブ層を５０μｍ設けたものをφ４６ｍｍに成型して用いた。なお、定着ローラ、加圧ローラの弾性層のゴムとしては、他にメチルフェニル系シリコーンゴムを用いても良い。
【手続補正１８】
【補正対象書類名】明細書
【補正対象項目名】００４６
【補正方法】変更
【補正の内容】
【００４６】
図２に示すように、操作部としての加圧解除レバーを図中矢印の方向に押し上げることによって、定着装置は加圧解除状態となる。
【手続補正１９】
【補正対象書類名】明細書
【補正対象項目名】００４９
【補正方法】変更
【補正の内容】
【００４９】
加圧解除状態の間、フォトインタラプタ２１ｄからの遮光信号が制御手段３１に送信されていることになる。この状態を制御手段３１で判断して、プリンタ本体側にて定着装置内で記録材のジャムもしくは定着器の加圧解除状態が発生したと認識し、制御手段３１により、プリンタの画像形成工程を禁止させプリンタ本体を動作させないようにする。
【手続補正２０】
【補正対象書類名】明細書
【補正対象項目名】００５４
【補正方法】変更
【補正の内容】
【００５４】
（第２の実施形態）
本発明の第２の実施形態を図３と図４により説明する。本実施形態は、加圧解除検知手段として排紙センサユニットのフォトインタラプタを用いるとともに、加圧解除機構の加圧解除レバーに加圧解除検知手段の可動部材（第２の可動部材）を設け、第２の可動部材が加圧ローラの加圧解除時にフォトインタラプタの凹部に差し込まれて遮光できるようにしたものである。なお、加圧解除検知手段の構成以外の、感光ドラム、現像装置、転写ローラ、定着装置の定着ローラおよび加圧ローラなどの各部材は第１の実施形態と同様の構成と作用であるので詳細な説明は省略する。
【手続補正２１】
【補正対象書類名】明細書
【補正対象項目名】００５７
【補正方法】変更
【補正の内容】
【００５７】
加圧解除機構２４による加圧ローラの加圧解除を検知する加圧解除検知手段は、加圧解除検知手段の可動部として加圧解除機構２４の加圧解除レバー２４ａ’にフォトインタラプタの遮光板（第２の可動部材）２６が設けられているとともに、排紙センサユニット２１のフォトインタラプタ２１ｄ’が加圧解除検知手段の可動検知手段を兼用するようになっている。加圧解除レバー２４ａ’の加圧解除動作時にフォトインタラプタ２１ｄ’の凹部に遮光板２６が差し込まれてフォトインタラプタ２１ｄ’を遮光できるようになっている。フォトインタラプタ２１ｄ’は、上記第１の実施形態と同様に、制御手段３１に接続されて、遮光もしくは受光状態の信号を送信できるようになっている。
【手続補正２２】
【補正対象書類名】明細書
【補正対象項目名】００６３
【補正方法】変更
【補正の内容】
【００６３】
【発明の効果】
以上のように本発明によれば、加圧解除状態を検知するためのセンサを追加しなくてもエラーメッセージを出すことが出来る。また、加圧解除状態を検知するためのセンサを追加しなくても加圧解除状態での画像形成を禁止させることが出来る。
【手続補正２３】
【補正対象書類名】明細書
【補正対象項目名】００６４
【補正方法】削除
【補正の内容】
【手続補正２４】
【補正対象書類名】明細書
【補正対象項目名】００６５
【補正方法】削除
【補正の内容】
【手続補正２５】
【補正対象書類名】明細書
【補正対象項目名】００６６
【補正方法】削除
【補正の内容】